(57)【要約】      （修正有）【課題】両面進紙機構の提供。【解決手段】ルートゲート１０はその一端に弾性フレーム１６を開設し、弾性フレームはその上部外側に弾性アーム１７を連接する。該弾性アーム前端外側には複数の外歯車１７２を開設し、該外歯車前端は外側に向かい延伸し球状の接触面を形成する。ルートゲート駆動装置２０は進紙ギア２１を含み、該進紙ギアは円盤状を呈する主体部２２、連接する外輪、外輪外側に連接する外ギアを含む。該外輪はその円周外側にさらにギアを連接し、収容通路は主体部と外輪を貫通し、該収容通路は該ルートゲートの弾性アームを収容可能である。本考案両面進紙機構はルートゲートの弾性アームと進紙ギアの間に生じる磨擦トルクにより、ルートゲートの開閉を制御する。【選択図】図７
0003133138.tif 000002
【実用新案登録請求の範囲】
【請求項１】
少なくとも取紙ユニット、進紙ユニット、ページめくりローラー軸ユニット、伝動ユニット、ルートゲート及びルートゲート駆動装置等の構成部品により組成し、
該ルートゲートは一端に弾性フレームを開設し、該弾性フレームはその上部外側に弾性アームを連接し、該弾性アームは柱状基部を含み、該基部はその前端外側に複数の外歯車を開設し、
該ルートゲート駆動装置は進紙ギアを含み、該進紙ギアは円盤状を呈する主体部、該主体部外側に連接する外輪、該外輪輪盤外側に連接する外ギアを含み、該外輪はその円周外側にさらにギアを連接し、収容通路は主体部と外輪を貫通し、該収容通路は該ルートゲートの弾性アームを収容可能であることを特徴とするルートゲート駆動装置を備えた両面進紙機構。
【請求項２】
請求項１記載のルートゲート駆動装置を備えた両面進紙機構において、前記外歯車は外側に向かい延伸し球状の接触面を形成することを特徴とするルートゲート駆動装置を備えた両面進紙機構両面進紙機構。
【請求項３】
請求項１記載のルートゲート駆動装置を備えた両面進紙機構において、前記収容通路はさらに該収容通路一端に位置する収容孔及び該収容通路反対端に位置し該収容孔と連通する外孔を含むことを特徴とするルートゲート駆動装置を備えた両面進紙機構。
【考案の詳細な説明】
【技術分野】
【０００１】
本考案は一種の両面進紙機構に関する。特に一種のルートゲート駆動装置を備えた両面進紙機構に係る。
【背景技術】
【０００２】
図１に示すように、公知の両面進紙機構100’はルートゲート10’、ルートゲート駆動装置20’、伝動ユニット30’、取紙ユニット40’、ページめくりローラー軸ユニット50’、進紙ユニット60’等の構成部品を含む。
【０００３】
図２、３に示すように、該ルートゲート駆動装置20’は進紙ギア21’、スイングアーム22’、進紙プーリー23’を含む。該スイングアーム22’上には弾性磨擦装置24’を開設し、該スイングアーム22’は該進紙ギア21’と該進紙プーリー23’の間に設置し、該弾性磨擦装置24’により磨擦トルクを生じる。
【０００４】
図４に示すように、取紙時には該ルートゲート駆動装置20’のスイングアーム22’は下圧し、これにより該ルートゲート10’は閉鎖状態となり、紙は該進紙ユニット60’に進入する。さらに図５に示すように、紙が該進紙ユニット前60’を離れる前に、該進紙ギア21’は反転する。この時、該ルートゲート駆動装置20’のスイングアーム22’と進紙ギア21’の間には磨擦トルクを生じ、該スイングアーム22’を持ち上げ、該ルートゲート10’は開放状態となり、紙は該ページめくりローラー軸ユニット50’を経由し、該進紙ユニット60’に進入し、こうして両面印刷の目的を達成する。
【０００５】
しかし、上記公知の両面進紙機構100’は紙を該進紙ユニット60’に送入し両面印刷の目的を達成することはできるが、そのパーツ数は比較的多いため、組み立てに時間がかかりコストが高騰してしまう。さらに、パーツ数が多いことにより、該進紙ギア21’の反転時に生じる磨擦トルクは敏感となり、磨擦トルクが非常に小さい時には該ルートゲート10’を起動することができず、磨擦トルクが大き過ぎれば伝動システムの正常な作動を保証することはできない。
【考案の開示】
【考案が解決しようとする課題】
【０００６】
本考案の主要な目的はルートゲート駆動装置を備えた両面進紙機構を提供し、それは進紙機構取紙ユニット、進紙ユニット、ページめくりローラー軸ユニット、伝動ユニット、ルートゲート、ルートゲート駆動装置を含み、
該ルートゲートは一端に弾性フレームを開設し、該弾性フレームはその上部外側に弾性アームを連接し、該弾性アームは柱状基部を含み、該基部の前端外側には複数の外歯車を開設し、該外歯車前端は外側に向かい延伸し球状の接触面を形成し、
該ルートゲート駆動装置は進紙ギアを含み、該進紙ギアは円盤状を呈する主体部、該主体部外側に連接する外輪及び該外輪輪盤外側に連接する外ギアを備え、該外輪はその円周外側にステップギアを連接し、該ステップギアは該主体部と相互に連通し、収容通路は主体部と外輪を貫通し、該ルートゲートの弾性アームを収容し、該収容通路は収容通路一端に位置する収容孔及び該収容孔反対端に位置し該収容孔と相互に連痛する外孔を含み、該収容孔はその前端壁に肩部を形成する両面進紙機構を提供する。
【課題を解決するための手段】
【０００７】
請求項１の考案は、少なくとも取紙ユニット、進紙ユニット、ページめくりローラー軸ユニット、伝動ユニット、ルートゲート及びルートゲート駆動装置等の構成部品により組成し、
該ルートゲートは一端に弾性フレームを開設し、該弾性フレームはその上部外側に弾性アームを連接し、該弾性アームは柱状基部を含み、該基部はその前端外側に複数の外歯車を開設し、
該ルートゲート駆動装置は進紙ギアを含み、該進紙ギアは円盤状を呈する主体部、該主体部外側に連接する外輪、該外輪輪盤外側に連接する外ギアを含み、該外輪はその円周外側にさらにギアを連接し、収容通路は主体部と外輪を貫通し、該収容通路は該ルートゲートの弾性アームを収容可能であることを特徴とするルートゲート駆動装置を備えた両面進紙機構としている。
請求項２の考案は、請求項１記載のルートゲート駆動装置を備えた両面進紙機構において、前記外歯車は外側に向かい延伸し球状の接触面を形成することを特徴とするルートゲート駆動装置を備えた両面進紙機構両面進紙機構としている。
請求項３の考案は、請求項１記載のルートゲート駆動装置を備えた両面進紙機構において、前記収容通路はさらに該収容通路一端に位置する収容孔及び該収容通路反対端に位置し該収容孔と連通する外孔を含むことを特徴とするルートゲート駆動装置を備えた両面進紙機構としている。
【考案の効果】
【０００８】
考案両面進紙機構はルートゲートの弾性アームと進紙ギアとの間に生じる磨擦トルクにより、ルートゲートの開閉を制御し進紙の目的を達成する。さらに本考案両面進紙機構はパーツ数が少なく、コストが低く、また進紙ギア反転時に磨擦トルクが発生し、ルートゲートを起動できなくなるという欠点を回避することができる。
【考案を実施するための最良の形態】
【０００９】
図６に示すように、本考案両面進紙機構100はルートゲート10、ルートゲート駆動装置20、伝動ユニット30、取紙ユニット40、ページめくりローラー軸ユニット50、進紙ユニット60等構成部品により組成する。
【００１０】
図７、８に示すように、本考案両面進紙機構100のルートゲート10は棒状の本体11を含み、その外側には間隔を開けて複数の枢結部12を開設する。該各枢結部12は３個の枢結板13を含み、前後両端に位置する枢結板13の外側両端は外に向けて延伸し歯部14を形成する。中間に位置する枢結板13の外側は外に向けて延伸し弧状を呈上する圧接部15を形成する。
【００１１】
図７、８、９に示すように、該ルートゲート10はその前端に弾性フレーム16を開設し、該弾性フレーム16はその上部外側に弾性アーム17を連接する。該弾性アーム17は柱状の基部171を含み、該基部171はその前端外側に等間隔を開けて複数の外歯車172を開設する。該外歯車172前端は外側に向かい延伸し球状の接触面を形成する。
【００１２】
図７、８に示すように、本考案両面進紙機構100のルートゲート駆動装置20は進紙ギア21を含み、該進紙ギア21は円盤状を呈する主体部22、該主体部22外側に連接する外輪23、該外輪23輪盤外側に連接する外ギア24を含む。該外輪23はその円周外側にステップギア25を連接し、該ステップギア25は該主体部22と連通する。ベルト一端は該進紙ギア21のステップギア25に嵌設し、反対端はモーターに嵌設する。該モーターは進紙ギアに転動動力を提供する(図になし)。収容通路26は該主体部22と該外輪23を貫通し、該収容通路26は該ルートゲート10の弾性アーム17を収容することができる。
【００１３】
図７、８、１０に示すように、該収容通路26は後部に位置する収容孔260及び前部に位置し該収容孔260と連通する外孔261を含み、該収容孔260の前端壁には肩部262を形成する。
【００１４】
図６、７、８、１１、１２に示すように、本考案両面進紙機構100の伝動ユニット30は１組のギア組により構成する。該ギア組は第一ギア31、第二ギア32、第三ギア33を含み、該第一ギア31と該進紙ギア21の外ギア24は相互に噛み合う。
【００１５】
図６に示すように、本考案両面進紙機構100の取紙ユニット40は取紙ローラーホイール41、短転軸42、取紙ギア43を含む。該取紙ローラーホイール41は該短転軸42の一端に嵌設し、取紙を行う。同時に該取紙ギア43は該短転軸42の反対端に嵌設し、該伝動ユニット30の第二ギア32と相互に噛み合う。
【００１６】
図６に示すように、本考案両面進紙機構100のページめくりローラー軸ユニット50はページめくりローラーホイール51、長転軸52、ページめくりプーリー53及びページめくりギア54等の部品により構成する。該ページめくりローラーホイール51は該長転軸52のおよそ中央の位置に嵌設し、同時に該ページめくりプーリー53は該両面進紙機構100の対応位置に設置し、該ページめくりローラーホイール51と相互に接続する。該ページめくりギア54は該長転軸52の該伝動ユニット30に近い一端に嵌設し、該伝動ユニット30の第三ギア33と相互に噛み合う。
【００１７】
図６に示すように、本考案両面進紙機構100の進紙ユニット60は進紙ローラーホイール61及び進紙プーリー62を含む。該進紙ユニット60はルートゲート前部外側に位置し、プリント用紙の対応位置への進入を導引し、該進紙ユニット60の該進紙ローラーホイール61と該進紙プーリー62は弾性接触固定する。
【００１８】
本考案両面進紙機構100の組み立て時には、ベルトは同時に該進紙ギア21の外ギア24及び該進紙モーターのローラーホイール上に嵌設し、該ルートゲート10の弾性アーム17は該進紙ギアの収容通路26内に挿入する。この時、該弾性アーム17の外歯車172と該収容孔260は弾性接触し、その末端は該収容通路26の肩部262に接触固定する(図１３、１４参照)。同時に該取紙ユニット40の短転軸42及び該ページめくりローラー軸ユニット50の長転軸52はそれぞれ両面進紙機構100の対応位置に嵌設する。
【００１９】
図７、１４、１５に示すように、取紙時には、モーターは進紙ギア21の逆時計回りの回転を駆動し、該短転軸42に嵌設する取紙ギア43はこれに従い時計回りの回転を行う。この時、該短転軸42に嵌設する取紙ローラーホイール41もまた、これに従い時計回りの回転を行い、該取紙ローラーホイール41と紙の間には磨擦力を生じ紙は取入される。同時に、該進紙ギア21の収容孔260と該ルートゲート10の弾性アーム17は反対方向の磨擦トルクを生じ、該ルートゲート10は下圧し閉鎖状態となる。こうして、紙は該進紙ユニット60中に進入する。
【００２０】
図１６に示すように、紙が該進紙ユニット60を離れようとする前に、モーターは瞬間的に反転し、同時に該進紙ギア21の時計回りの回転を駆動する。該短転軸42に嵌設する取紙ギア43はこれに従い逆時計回りの回転を行い、この時、該短転軸42に嵌設する取紙ローラーホイール41もまたこれに従い逆時計回りの回転を行い、該取紙ローラーホイール41は紙の取入を停止する。同時に図１７に示すように、該進紙ギア21の収容孔260と該ルートゲート10の弾性アーム17は正方向の磨擦トルクを生じ、該ルートゲート10は持ち上がり開放状態となる。こうして、片面にすでにプリントされた紙は該ページめくりローラー軸ユニット50に進入する。同時に、該長転軸52に嵌設するページめくりギア54はこれに従い時計回りの回転を行い、この時、該長転軸52に嵌設するページめくりローラーホイール51もまたこれに従い時計回りの回転を行い、該ページめくりローラーホイール51と紙の間には摩擦力を生じ、紙は該ページめくりローラー軸ユニット50に送入される。
【００２１】
上記のように、本考案両面進紙機構100は公知技術中のスイングアーム22’を該弾性アーム17により代用し、該ルートゲート10の弾性アーム17は該進紙ギア21との間に磨擦トルクを生じ、これにより該ルートゲート10の開閉を制御し進紙の目的を達成する。本考案両面進紙機構100はパーツ数が少ないため、コストは低くなり、またさらに該進紙ギア21反転時に生じる磨擦トルクが該ルートゲート10を起動させないという欠点を回避することができる。
【図面の簡単な説明】
【００２２】
【図１】公知両面進紙機構の立体図である。
【図２】公知両面進紙機構のルートゲート駆動装置の立体分解図である。
【図３】公知両面進紙機構のルートゲート駆動装置の立体分解図である。
【図４】公知両面進紙機構の作動概略図である。
【図５】公知両面進紙機構の作動概略図である。
【図６】本考案両面進紙機構の立体図である。
【図７】本考案両面進紙機構のルートゲート及びルートゲート駆動装置の立体図である。
【図８】本考案両面進紙機構のルートゲート及びルートゲート駆動装置の立体図である。
【図９】本考案両面進紙機構の弾性アーム局部拡大図である。
【図１０】本考案両面進紙機構の進紙ギアの断面図である。
【図１１】本考案両面進紙機構のルートゲート駆動器ユニットである。
【図１２】本考案両面進紙機構のルートゲート駆動器ユニットである。
【図１３】本考案両面進紙機構の弾性アームを進紙ギアにおいて組立てる立体断面図である。
【図１４】図１３のXIV部分の局部拡大図である。
【図１５】本考案両面進紙機構の作動概略図である。
【図１６】本考案両面進紙機構の作動概略図である。
【符号の説明】
【００２３】
100’  両面進紙機構
10’  ルートゲート
20’  ルートゲート駆動装置
21’  進紙ギア
22’  スイングアーム
23’  進紙プーリー
24’  弾性磨擦装置
30’  伝動ユニット
40’  取紙ユニット
50’  ページめくりローラー軸ユニット
60’  進紙ユニット
100  両面進紙機構
10  ルートゲート
11  本体
12  枢結部
13  枢結板
14  歯部
15  圧接部
16  弾性フレーム
17  弾性アーム
171  基部
172  外歯車
20  ルートゲート駆動装置
21  進紙ギア
22  主体部
23  外輪
24  外ギア
25  ステップギア
26  収容通路
260  収容孔
261  外孔
262  肩部
30  伝動ユニット
31  第一ギア
32  第二ギア
33  第三ギア
40  取紙ユニット
41  取紙ローラーホイール
42  短転軸
43  取紙ギア
50  ページめくりローラー軸ユニット
51  ページめくりローラーホイール
52  長転軸
53  ページめくりプーリー
54  ページめくりギア
60  進紙ユニット
61  進紙ローラーホイール
62  進紙プーリー
【図１】
0003133138.tif 000003
【図２】
0003133138.tif 000004
【図３】
0003133138.tif 000005
【図４】
0003133138.tif 000006
【図５】
0003133138.tif 000007
【図６】
0003133138.tif 000008
【図７】
0003133138.tif 000009
【図８】
0003133138.tif 000010
【図９】
0003133138.tif 000011
【図１０】
0003133138.tif 000012
【図１１】
0003133138.tif 000013
【図１２】
0003133138.tif 000014
【図１３】
0003133138.tif 000015
【図１４】
0003133138.tif 000016
【図１５】
0003133138.tif 000017
【図１６】
0003133138.tif 000018
【手続補正書】
【提出日】平成19年4月19日(2007.4.19)
【手続補正１】
【補正対象書類名】実用新案登録請求の範囲
【補正対象項目名】全文
【補正方法】変更
【補正の内容】
【実用新案登録請求の範囲】
【請求項１】
少なくとも取紙ユニット、進紙ユニット、ページめくりローラー軸ユニット、伝動ユニット、経路ゲート及び経路ゲート駆動装置等の構成部品により組成し、
該経路ゲートは一端に弾性フレームを開設し、該弾性フレームはその上部外側に弾性アームを連接し、該弾性アームは柱状基部を含み、該基部はその前端外側に複数の外歯車を開設し、
該経路ゲート駆動装置は進紙ギアを含み、該進紙ギアは円盤状を呈する主体部、該主体部外側に連接する外輪、該外輪輪盤外側に連接する外ギアを含み、該外輪はその円周外側にさらにギアを連接し、収容通路は主体部と外輪を貫通し、該収容通路は該経路ゲートの弾性アームを収容可能であることを特徴とする経路ゲート駆動装置を備えた両面進紙機構。
【請求項２】
請求項１記載の経路ゲート駆動装置を備えた両面進紙機構において、前記外歯車は外側に向かい延伸し球状の接触面を形成することを特徴とする経路ゲート駆動装置を備えた両面進紙機構。
【請求項３】
請求項１記載の経路ゲート駆動装置を備えた両面進紙機構において、前記収容通路はさらに該収容通路一端に位置する収容孔及び該収容通路反対端に位置し該収容孔と連通する外孔を含むことを特徴とする経路ゲート駆動装置を備えた両面進紙機構。
【手続補正２】
【補正対象書類名】明細書
【補正対象項目名】全文
【補正方法】変更
【補正の内容】
【考案の詳細な説明】
【技術分野】
【０００１】
本考案は一種の両面進紙機構に関する。特に一種の経路ゲート駆動装置を備えた両面進紙機構に係る。
【背景技術】
【０００２】
図１に示すように、公知の両面進紙機構100’は経路ゲート10’、経路ゲート駆動装置20’、伝動ユニット30’、取紙ユニット40’、ページめくりローラー軸ユニット50’、進紙ユニット60’等構成部品を含む。
【０００３】
図２、３に示すように、該経路ゲート駆動装置20’は進紙ギア21’、スイングアーム22’、進紙プーリー23’を含む。該スイングアーム22’上には弾性磨擦装置24’を開設し、該スイングアーム22’は該進紙ギア21’と該進紙プーリー23’の間に設置し、該弾性磨擦装置24’により磨擦トルクを生じる。
【０００４】
図４に示すように、取紙時には該経路ゲート駆動装置20’のスイングアーム22’は下圧し、これにより該経路ゲート10’は閉鎖状態となり、紙は該進紙ユニット60’に進入する。さらに図５に示すように、紙が該進紙ユニット前60’を離れる前に、該進紙ギア21’は反転する。この時、該経路ゲート駆動装置20’のスイングアーム22’と進紙ギア21’の間には磨擦トルクを生じ、該スイングアーム22’を持ち上げ、該経路ゲート10’は開放状態となり、紙は該ページめくりローラー軸ユニット50’を経由し、該進紙ユニット60’に進入し、こうして両面印刷の目的を達成する。
【０００５】
しかし、上記公知の両面進紙機構100’は紙を該進紙ユニット60’に送入し両面印刷の目的を達成することはできるが、そのパーツ数は比較的多いため、組み立てに時間がかかりコストが高騰してしまう。さらに、パーツ数が多いことにより、該進紙ギア21’の反転時に生じる磨擦トルクは敏感となり、磨擦トルクが非常に小さい時には該経路ゲート10’を起動することができず、磨擦トルクが大き過ぎれば伝動システムの正常な作動を保証することはできない。
【考案の開示】
【考案が解決しようとする課題】
【０００６】
本考案の主要な目的は経路ゲート駆動装置を備えた両面進紙機構を提供し、それは進紙機構取紙ユニット、進紙ユニット、ページめくりローラー軸ユニット、伝動ユニット、経路ゲート、経路ゲート駆動装置を含み、
該経路ゲートは一端に弾性フレームを開設し、該弾性フレームはその上部外側に弾性アームを連接し、該弾性アームは柱状基部を含み、該基部の前端外側には複数の外歯車を開設し、該外歯車前端は外側に向かい延伸し球状の接触面を形成し、
該経路ゲート駆動装置は進紙ギアを含み、該進紙ギアは円盤状を呈する主体部、該主体部外側に連接する外輪及び該外輪輪盤外側に連接する外ギアを備え、該外輪はその円周外側にステップギアを連接し、該ステップギアは該主体部と相互に連通し、収容通路は主体部と外輪を貫通し、該経路ゲートの弾性アームを収容し、該収容通路は収容通路一端に位置する収容孔及び該収容孔反対端に位置し該収容孔と相互に連痛する外孔を含み、該収容孔はその前端壁に肩部を形成する両面進紙機構を提供する。
【課題を解決するための手段】
【０００７】
請求項１の考案は、少なくとも取紙ユニット、進紙ユニット、ページめくりローラー軸ユニット、伝動ユニット、経路ゲート及び経路ゲート駆動装置等の構成部品により組成し、
該経路ゲートは一端に弾性フレームを開設し、該弾性フレームはその上部外側に弾性アームを連接し、該弾性アームは柱状基部を含み、該基部はその前端外側に複数の外歯車を開設し、
該経路ゲート駆動装置は進紙ギアを含み、該進紙ギアは円盤状を呈する主体部、該主体部外側に連接する外輪、該外輪輪盤外側に連接する外ギアを含み、該外輪はその円周外側にさらにギアを連接し、収容通路は主体部と外輪を貫通し、該収容通路は該経路ゲートの弾性アームを収容可能であることを特徴とする経路ゲート駆動装置を備えた両面進紙機構としている。
請求項２の考案は、請求項１記載の経路ゲート駆動装置を備えた両面進紙機構において、前記外歯車は外側に向かい延伸し球状の接触面を形成することを特徴とする経路ゲート駆動装置を備えた両面進紙機構としている。
請求項３の考案は、請求項１記載の経路ゲート駆動装置を備えた両面進紙機構において、前記収容通路はさらに該収容通路一端に位置する収容孔及び該収容通路反対端に位置し該収容孔と連通する外孔を含むことを特徴とする経路ゲート駆動装置を備えた両面進紙機構としている。
【考案の効果】
【０００８】
本考案両面進紙機構は経路ゲートの弾性アームと進紙ギアとの間に生じる磨擦トルクにより、経路ゲートの開閉を制御し進紙の目的を達成する。さらに本考案両面進紙機構はパーツ数が少なく、コストが低く、また進紙ギア反転時に磨擦トルクが発生し、経路ゲートを起動できなくなるという欠点を回避することができる。
【考案を実施するための最良の形態】
【０００９】
図６に示すように、本考案両面進紙機構100は経路ゲート10、経路ゲート駆動装置20、伝動ユニット30、取紙ユニット40、ページめくりローラー軸ユニット50、進紙ユニット60等構成部品により組成する。
【００１０】
図７、８に示すように、本考案両面進紙機構100の経路ゲート10は棒状の本体11を含み、その外側には間隔を開けて複数の枢結部12を開設する。該各枢結部12は３個の枢結板13を含み、前後両端に位置する枢結板13外側両端は外に向けて延伸し歯部14を形成する。中間に位置する枢結板13外側は外に向けて延伸し弧状を呈上する圧接部15を形成する。
【００１１】
図７、８、９に示すように、該経路ゲート10はその前端に弾性フレーム16を開設し、該弾性フレーム16はその上部外側に弾性アーム17を連接する。該弾性アーム17は柱状の基部171を含み、該基部171はその前端外側に等間隔を開けて複数の外歯車172を開設する。該外歯車172前端は外側に向かい延伸し球状の接触面を形成する。
【００１２】
図７、８に示すように、本考案両面進紙機構100の経路ゲート駆動装置20は進紙ギア21を含み、該進紙ギア21は円盤状を呈する主体部22、該主体部22外側に連接する外輪23、該外輪23輪盤外側に連接する外ギア24を含む。該外輪23はその円周外側にステップギア25を連接し、該ステップギア25は該主体部22と連通する。ベルト一端は該進紙ギア21のステップギア25に嵌設し、反対端はモーターに嵌設する。該モーターは進紙ギアに転動動力を提供する(図未なし)。収容通路26は該主体部22と該外輪23を貫通し、該収容通路26は該経路ゲート10の弾性アーム17を収容することができる。
【００１３】
図７、８、１０に示すように、該収容通路26は後部に位置する収容孔260及び前部に位置し該収容孔260と連通する外孔261を含み、該収容孔260の前端壁には肩部262を形成する。
【００１４】
図６、７、８、１１、１２に示すように、本考案両面進紙機構100の伝動ユニット30は１組のギア組により構成する。該ギア組は第一ギア31、第二ギア32、第三ギア33を含み、該第一ギア31と該進紙ギア21の外ギア24は相互に噛み合う。
【００１５】
図６に示すように、本考案両面進紙機構100の取紙ユニット40は取紙ローラーホイール41、短転軸42、取紙ギア43を含む。該取紙ローラーホイール41は該短転軸42の一端に嵌設し、取紙を行う。同時に該取紙ギア43は該短転軸42の反対端に嵌設し、該伝動ユニット30の第二ギア32と相互に噛み合う。
【００１６】
図６に示すように、本考案両面進紙機構100のページめくりローラー軸ユニット50はページめくりローラーホイール51、長転軸52、ページめくりプーリー53及びページめくりギア54等の部品により構成する。該ページめくりローラーホイール51は該長転軸52のおよそ中央の位置に嵌設し、同時に該ページめくりプーリー53は該両面進紙機構100の対応位置に設置し、該ページめくりローラーホイール51と相互に接続する。該ページめくりギア54は該長転軸52の該伝動ユニット30に近い一端に嵌設し、該伝動ユニット30の第三ギア33と相互に噛み合う。
【００１７】
図６に示すように、本考案両面進紙機構100の進紙ユニット60は進紙ローラーホイール61及び進紙プーリー62を含む。該進紙ユニット60は経路ゲート前部外側に位置し、プリント用紙の対応位置への進入を導引し、該進紙ユニット60の該進紙ローラーホイール61と該進紙プーリー62は弾性接触固定する。
【００１８】
本考案両面進紙機構100組み立て時には、ベルトは同時に該進紙ギア21の外ギア24及び該進紙モーターのローラーホイール上に嵌設し、該経路ゲート10の弾性アーム17は該進紙ギアの収容通路26内に挿入する。この時、該弾性アーム17の外歯車172と該収容孔260は弾性接触し、その末端は該収容通路26の肩部262に接触固定する(図１３、１４参照)。同時に該取紙ユニット40の短転軸42及び該ページめくりローラー軸ユニット50の長転軸52はそれぞれ両面進紙機構100の対応位置に嵌設する。
【００１９】
図７、１４、１５に示すように、取紙時には、モーターは進紙ギア21の逆時計回りの回転を駆動し、該短転軸42に嵌設する取紙ギア43はこれに従い時計回りの回転を行う。この時、該短転軸42に嵌設する取紙ローラーホイール41もまた、これに従い時計回りの回転を行い、該取紙ローラーホイール41と紙の間には磨擦力を生じ紙は取入される。同時に、該進紙ギア21の収容孔260と該経路ゲート10の弾性アーム17は反対方向の磨擦トルクを生じ、該経路ゲート10は下圧し閉鎖状態となる。こうして、紙は該進紙ユニット60中に進入する。
【００２０】
図１６に示すように、紙が該進紙ユニット60を離れようとする前に、モーターは瞬間的に反転し、同時に該進紙ギア21の時計回りの回転を駆動する。該短転軸42に嵌設する取紙ギア43はこれに従い逆時計回りの回転を行い、この時、該短転軸42に嵌設する取紙ローラーホイール41もまたこれに従い逆時計回りの回転を行い、該取紙ローラーホイール41は紙の取入を停止する。同時に図１７に示すように、該進紙ギア21の収容孔260と該経路ゲート10の弾性アーム17は正方向の磨擦トルクを生じ、該経路ゲート10は持ち上がり開放状態となる。こうして、片面にすでにプリントされた紙は該ページめくりローラー軸ユニット50に進入する。同時に、該長転軸52に嵌設するページめくりギア54はこれに従い時計回りの回転を行い、この時、該長転軸52に嵌設するページめくりローラーホイール51もまたこれに従い時計回りの回転を行い、該ページめくりローラーホイール51と紙の間には摩擦力を生じ、紙は該ページめくりユニット50に送入される。
【００２１】
上記のように、本考案両面進紙機構100は公知技術中のスイングアーム22’を該弾性アーム17により代用し、該経路ゲート10の弾性アーム17は該進紙ギア21との間に磨擦トルクを生じ、これにより該経路ゲート10の開閉を制御し進紙の目的を達成する。本考案両面進紙機構100はパーツ数が少ないため、コストは低くなり、またさらに該進紙ギア21反転時に生じる磨擦トルクが該経路ゲート10を起動させないという欠点を回避することができる。
【図面の簡単な説明】
【００２２】
【図１】公知両面進紙機構の立体図である。
【図２】公知両面進紙機構の経路ゲート駆動装置の立体分解図である。
【図３】公知両面進紙機構の経路ゲート駆動装置の立体分解図である。
【図４】公知両面進紙機構の作動概略図である。
【図５】公知両面進紙機構の作動概略図である。
【図６】本考案両面進紙機構の立体図である。
【図７】本考案両面進紙機構の経路ゲート及び経路ゲート駆動装置の立体図である。
【図８】本考案両面進紙機構の経路ゲート及び経路ゲート駆動装置の立体図である。
【図９】本考案両面進紙機構の弾性アーム局部拡大図である。
【図１０】本考案両面進紙機構の進紙ギアの断面図である。
【図１１】本考案両面進紙機構の経路ゲート駆動器ユニットである。
【図１２】本考案両面進紙機構の経路ゲート駆動器ユニットである。
【図１３】本考案両面進紙機構の弾性アームを進紙ギアにおいて組立てる立体断面図である。
【図１４】図１３のXIV部分の局部拡大図である。
【図１５】本考案両面進紙機構の作動概略図である。
【図１６】本考案両面進紙機構の作動概略図である。
【符号の説明】
【００２３】
100’  両面進紙機構
10’  経路ゲート
20’  経路ゲート駆動装置
21’  進紙ギア
22’  スイングアーム
23’  進紙プーリー
24’  弾性磨擦装置
30’  伝動ユニット
40’  取紙ユニット
50’  ページめくりローラー軸ユニット
60’  進紙ユニット
100  両面進紙機構
10  経路ゲート
11  本体
12  枢結部
13  枢結板
14  歯部
15  圧接部
16  弾性フレーム
17  弾性アーム
171  基部
172  外歯車
20  経路ゲート駆動装置
21  進紙ギア
22  主体部
23  外輪
24  外ギア
25  ステップギア
26  収容通路
260  収容孔
261  外孔
262  肩部
30  伝動ユニット
31  第一ギア
32  第二ギア
33  第三ギア
40  取紙ユニット
41  取紙ローラーホイール
42  短転軸
43  取紙ギア
50  ページめくりローラー軸ユニット
51  ページめくりローラーホイール
52  長転軸
53  ページめくりプーリー
54  ページめくりギア
60  進紙ユニット
61  進紙ローラーホイール
62  進紙プーリー